(57)【要約】【課題】電子カメラで両立しない「ＲＡＷ」モードの選択とモノクロモードの設定とが重なることを防止する。【解決手段】電子カメラは、先にモノクロモードに設定されている状態で、後から記録画質に「ＲＡＷ」モードが選択されると、モノクロモードの設定を解除する（ステップＳ１０７）。電子カメラは、先に「ＲＡＷ」モードが選択されている状態（ステップＳ１１１を肯定判定）では設定処理を終了し、モノクロモードの設定を不可にする。【選択図】図３
2007150492.tif 000002
【特許請求の範囲】
【請求項１】
撮像素子からの信号を第１データとして記録する第１の記録モード、および前記撮像素子からの信号を加工後に第１データとして記録する第２の記録モードのいずれか一方を択一的に選択する記録モード選択手段と、
前記撮像素子からの信号を用いてモノトーンデータを生成するモノトーンモードの設定と非設定とを切替えるモノトーンモード切替え手段と、
前記モノトーンモードの設定と前記第１の記録モードの選択とが重ならないように前記モノトーンモード切替え手段および前記記録モード選択手段を制御する制御手段とを備えることを特徴とする電子カメラ。
【請求項２】
請求項１に記載の電子カメラにおいて、
前記制御手段は、前記モノトーンモード切替え手段によって前記モノトーンモードに設定されている場合、前記記録モード選択手段による前記第１の記録モードの選択を禁止することを特徴とする電子カメラ。
【請求項３】
請求項１に記載の電子カメラにおいて、
前記制御手段は、前記記録モード選択手段によって前記第１の記録モードが選択されている場合、前記モノトーンモード切替え手段による前記モノトーンモードの設定を禁止することを特徴とする電子カメラ。
【請求項４】
請求項１に記載の電子カメラにおいて、
前記制御手段は、前記モノトーンモード切替え手段によって前記モノトーンモードに設定されている場合、前記記録モード選択手段によって前記第１の記録モードが選択されると、前記モノトーンモードを非設定に切替えるように前記モノトーンモード切替え手段を制御することを特徴とする電子カメラ。
【請求項５】
請求項１に記載の電子カメラにおいて、
前記制御手段は、前記記録モード選択手段によって前記第１の記録モードが選択されている場合、前記モノトーンモード切替え手段によって前記モノトーンモードに設定されると、前記第２の記録モードを選択するように前記記録モード選択手段を制御することを特徴とする電子カメラ。
【請求項６】
請求項１〜５のいずれか一項に記載の電子カメラにおいて、
前記撮像素子からの信号を第１データとして記録するとともに、前記撮像素子からの信号を加工後に第２データとして記録する第３の記録モードをさらに有し、
前記記録モード選択手段は、前記第１の記録モード〜前記第３の記録モードのいずれかの記録モードを択一的に選択し、
前記制御手段は、前記モノトーンモードの設定と前記第１の記録モードの選択とが重ならないように前記モノトーンモード切替え手段および前記記録モード選択手段を制御することを特徴とする電子カメラ。
【請求項７】
請求項６に記載の電子カメラにおいて、
前記第３の記録モードの第２データは前記モノトーンデータを含むことを特徴とする電子カメラ。
【発明の詳細な説明】
【技術分野】
【０００１】
本発明は、撮像素子によって被写体像を撮像する電子カメラに関する。
【背景技術】
【０００２】
２つの動作モードを重ねて設定することが禁止された電子カメラが知られている（特許文献１参照）。特許文献１に記載の電子カメラは、撮像感度を所定範囲より高くする増感モードと、撮像感度を所定範囲内で自動的に変更する撮像感度自動変更モードとの両方を同時に設定することが禁止される。
【０００３】
【特許文献１】特開２００３−１９５３８４号公報
【発明の開示】
【発明が解決しようとする課題】
【０００４】
電子カメラの場合、上述した動作モードの他にも多くの動作モードがある。発明者は、撮像素子からの信号を加工しないで保存するモードの選択と、撮像素子からの信号を用いてモノトーン画像を生成するモードの設定についても、同時に設定しない方が好ましいと考えた。
【課題を解決するための手段】
【０００５】
本発明による電子カメラは、撮像素子からの信号を第１データとして記録する第１の記録モード、および撮像素子からの信号を加工後に第１データとして記録する第２の記録モードのいずれか一方を択一的に選択する記録モード選択手段と、撮像素子からの信号を用いてモノトーンデータを生成するモノトーンモードの設定と非設定とを切替えるモノトーンモード切替え手段と、モノトーンモードの設定と第１の記録モードの選択とが重ならないようにモノトーンモード切替え手段および記録モード選択手段を制御する制御手段とを備えることを特徴とする。
請求項１に記載の電子カメラにおいて、制御手段は、モノトーンモード切替え手段によってモノトーンモードに設定されている場合、記録モード選択手段による第１の記録モードの選択を禁止することもできる。
請求項１に記載の電子カメラにおいて、制御手段は、記録モード選択手段によって第１の記録モードが選択されている場合、モノトーンモード切替え手段によるモノトーンモードの設定を禁止することもできる。
請求項１に記載の電子カメラにおいて、制御手段は、モノトーンモード切替え手段によってモノトーンモードに設定されている場合、記録モード選択手段によって第１の記録モードが選択されると、モノトーンモードを非設定に切替えるようにモノトーンモード切替え手段を制御することもできる。
請求項１に記載の電子カメラにおいて、制御手段は、記録モード選択手段によって第１の記録モードが選択されている場合、モノトーンモード切替え手段によってモノトーンモードに設定されると、第２の記録モードを選択するように記録モード選択手段を制御することもできる。
請求項１〜５のいずれか一項に記載の電子カメラはさらに、撮像素子からの信号を第１データとして記録するとともに、撮像素子からの信号を加工後に第２データとして記録する第３の記録モードを有してもよい。この場合の記録モード選択手段は、第１の記録モード〜第３の記録モードのいずれかの記録モードを択一的に選択し、制御手段は、モノトーンモードの設定と第１の記録モードの選択とが重ならないようにモノトーンモード切替え手段および記録モード選択手段を制御することもできる。
請求項６に記載の電子カメラにおいて、第３の記録モードの第２データはモノトーンデータを含んでもよい。
【発明の効果】
【０００６】
本発明によれば、撮像素子からの信号を第１データとして記録する第１の記録モードの選択と、撮像素子からの信号を用いてモノトーンデータを生成するモノトーンモードの設定とが重ならない電子カメラを提供できる。
【発明を実施するための最良の形態】
【０００７】
以下、図面を参照して本発明を実施するための最良の形態について説明する。
（第一の実施形態）
図１は、本発明の第一の実施形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて各ブロックへ制御信号を出力する。撮像素子１２１は、ＣＣＤイメージセンサなどによって構成される。撮像素子１２１は、撮影レンズ（不図示）を通過した被写体光による像を撮像し、撮像信号をＡ／Ｄ変換回路１２２へ出力する。
【０００８】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動制御される。
【０００９】
信号処理回路を構成するＡＳＩＣ１２３は、演算回路１０１からの指示に応じてディジタル変換後の画像信号に所定の信号処理を行う。処理内容は、カラー画像データの色温度を適切にするホワイトバランス（ＷＢ）調整などの画像処理、カラー画像からモノトーン画像を生成する画像処理、画像処理後の画像データを所定の形式で圧縮する圧縮処理、圧縮処理後のデータを伸長する伸長処理などである。バッファメモリ１２５は、ＡＳＩＣ１２３による信号処理中、あるいは信号処理前後の画像データを一時的に格納する。記録媒体１２６は、着脱可能なフラッシュメモリなどによって構成される。記録媒体１２６は、バッファメモリ１２５に格納されている画像データを記録する。
【００１０】
測光装置１０２は、撮影レンズを透過した光量を検出し、光量検出信号を演算回路１０１へ出力する。焦点検出装置１０３は、撮影レンズの焦点調節状態を検出し、焦点調節検出信号を演算回路１０１へ出力する。レンズ駆動装置１０４は不図示のモータおよび減速歯車機構を有し、演算回路１０１からの指示に応じてフォーカスレンズ（不図示）を光軸方向に進退駆動させて、撮影レンズによる焦点位置を調節する。
【００１１】
シャッタ駆動回路１０５は、シャッタ１０６の不図示の先幕および後幕の保持および解除をそれぞれ制御する。絞り位置検出装置１１０は、後述するシーケンス装置によって絞り込み駆動されている絞りの位置を検出し、絞り位置検出信号を演算回路１０１へ出力する。絞り係止装置１１１は駆動中の絞りを係止し、所定の絞り値で絞りを停止させる。
【００１２】
モータ駆動回路１０７は、演算回路１０１の指示によってシーケンスモータ１０８を駆動制御する。シーケンスモータ１０８は不図示のシーケンス駆動装置を構成し、不図示のミラーのアップ／ダウン、不図示の絞りの駆動、およびシャッタ１０６のチャージなどを行う。シーケンススイッチ１０９は不図示のシーケンス駆動装置に組み込まれ、シーケンスモータ１０８のブレーキ制御タイミングなどを発生する。
【００１３】
表示装置１１２は、演算回路１０１からの指示により、画質モードの選択状態、モノクロモードの設定状態を示す表示の他、シャッタ速度や絞り値などを示す表示を行う。
【００１４】
レリーズスイッチ１１５は、レリーズボタン（不図示）の押下操作に連動してレリーズ操作信号を演算回路１０１へ出力する。レリーズ操作信号は、撮影開始を指示するトリガとなる。
【００１５】
モノクロモード設定部材１１３は、モノクロモード設定操作／解除操作に応じた操作信号を演算回路１０１へ出力する。モノクロモードは、色情報を有するカラー画像のデータから画素の明度情報を抽出してモノトーン画像を生成する動作モードである。モノトーン画像は、画素の階調度を異ならせて明暗によって表現する画像であり、いわゆるモノクロ画像やセピア画像などを含む。モノクロモードに設定されている場合、記録媒体１２６にはモノトーン画像のデータが記録される。
【００１６】
画質モード選択部材１１４は、画質モード選択操作に応じた操作信号を演算回路１０１へ出力する。演算回路１０１は、画質モード選択操作信号に応じて記録画質を選択し、ＡＳＩＣ１２３に指示を行う。指示内容は、記録媒体１２６に画像データを記録する際の画像処理の要否、および圧縮処理時のJPEG圧縮率を含む。記録画質は、たとえば、次の５つのモードからいずれか１つを選択可能に構成されている。
【００１７】
画質［５］：本画像として画像処理を施さない画像データを記録する「ＲＡＷ」モード
画質［４］：本画像として画像処理後の画像データを非圧縮のRGB-TIFF形式で記録する「ＴＩＦＦ」モード
画質［３］：本画像として画像処理後の画像データを圧縮率約１／４で圧縮して記録する「ＦＩＮＥ」モード
画質［２］：本画像として画像処理後の画像データを圧縮率約１／８で圧縮して記録する「ＮＯＲＭＡＬ」モード
画質［１］：本画像として画像処理後の画像データを圧縮率約１／１６で圧縮して記録する「ＢＡＳＩＣ」モード
【００１８】
本画像は、電子カメラが撮影指示に応じて撮影し、記録媒体１２６などに保存する撮影画像である。本画像のデータは、表示用のビュー画像やサムネイル画像に比べて画素数が多い。ビュー画像は、画像表示用モニタ（不図示）に撮影画像を迅速に表示するために、本画像の画素数を画像表示用モニタの表示画素数（解像度）に応じて低減させた画像である。サムネイル画像は、画像表示用モニタに撮影画像を縮小表示するために、ビュー画像の場合よりもさらに画素数を低減させた画像である。本実施形態では、本画像に対応するデータを第１データと呼ぶ。
【００１９】
電子カメラがモノクロモードに設定された場合、上記第１データおよびビュー画像、サムネイル画像のそれぞれをモノトーン化する。この場合、記録画質として上記画質［５］が選択されていると、第１データに画像処理をしないで記録するという「ＲＡＷ」モードの処理と、モノトーン化する処理とが両立しない。
【００２０】
本実施形態の電子カメラは、上述したように両立しないモードが重ならないようにする。
＜メイン処理＞
第一の実施形態による電子カメラの演算回路１０１で行われるメイン処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、モノクロモードフラグＢを０に、画質モードパラメータＱを２に、それぞれセットしてステップＳ２へ進む。
【００２１】
モノクロモードフラグＢは、電子カメラがモノクロモードに設定されると１に、モノクロモードが解除（非設定）されると０にされるフラグである。画質モードパラメータＱは、選択されている上記記録画質［５］〜［１］に対応して、それぞれＱ＝５〜１がセットされるパラメータである。
【００２２】
ステップＳ２において、演算回路１０１は設定処理を行ってステップＳ３へ進む。設定処理の詳細については後述する。ステップＳ３において、演算回路１０１は表示処理を行ってステップＳ４へ進む。表示処理の詳細については後述する。
【００２３】
ステップＳ４について、演算回路１０１は画質モードパラメータＱ＝５か否かを判定する。演算回路１０１は、Ｑ＝５（記録画質が「ＲＡＷ」モード）の場合にステップＳ４を肯定判定してステップＳ５へ進み、Ｑ≠５（記録画質が「ＲＡＷ」モードと異なる）の場合にはステップＳ４を否定判定してステップＳ６へ進む。
【００２４】
ステップＳ５において、演算回路１０１は、ディジタル変換後の画像信号に信号処理をしない「ＲＡＷ」モードの処理を行ってステップＳ２へ戻る。これにより、撮影指示に応じて取得され、画像処理されていない画像データが第１データとして記録媒体１２６に記録される。
【００２５】
ステップＳ６において、演算回路１０１はモノクロモードフラグＢ＝１か否かを判定する。演算回路１０１は、Ｂ＝１（モノクロモードに設定）の場合にステップＳ６を肯定判定してステップＳ７へ進み、Ｂ＝０（モノクロモード非設定）の場合にはステップＳ６を否定判定してステップＳ８へ進む。
【００２６】
ステップＳ７において、演算回路１０１はディジタル変換後の画像信号からモノトーン画像を生成するモノクロモードの処理を行ってステップＳ２へ戻る。これにより、撮影指示に応じて取得されたモノトーン画像データが第１データとして記録媒体１２６に記録される。
【００２７】
ステップＳ８において、演算回路１０１は通常処理を行ってステップＳ２へ戻る。通常処理では、撮影指示に応じて取得され、信号処理を施された画像データが記録媒体１２６に記録される。この場合の信号処理は、上述したホワイトバランス調整や画素補間処理などである。圧縮する画質モードが選択されている場合には、選択画質に応じた圧縮率で圧縮処理も施される。
【００２８】
なお、上述したステップＳ５、Ｓ７、およびＳ８の各処理では、それぞれ撮影開始の指示後に撮影された撮影画像が記録される。
【００２９】
＜設定処理＞
設定処理の詳細について、図３のフローチャートを参照して説明する。図３のステップＳ１０１において、演算回路１０１は画質モード選択部材１１４が操作されたか否かを判定する。演算回路１０１は、画質モード選択部材１１４から操作信号が入力されるとステップＳ１０１を肯定判定してステップＳ１０２へ進み、画質モード選択部材１１４から操作信号が入力されない場合にはステップＳ１０１を否定判定してステップＳ１１１へ進む。
【００３０】
ステップＳ１０２において、演算回路１０１は高画質への操作か否かを判定する。演算回路１０１は、入力された操作信号が高画質への変更を示す場合にステップＳ１０２を肯定判定してステップＳ１０３へ進み、入力された操作信号が高画質への変更を示さない場合にはステップＳ１０２を否定判定してステップＳ１０８へ進む。
【００３１】
ステップＳ１０３において、演算回路１０１は画質モードパラメータＱ＝５か否かを判定する。演算回路１０１は、Ｑ＝５（記録画質が「ＲＡＷ」モード）の場合にステップＳ１０３を肯定判定してステップＳ１０５へ進み、Ｑ≠５の場合にはステップＳ１０３を否定判定してステップＳ１０４へ進む。ステップＳ１０４において、演算回路１０１は、Ｑに１を加えた高画質モードを選択し、ステップＳ１０５へ進む。ステップＳ１０３を肯定判定した場合にステップＳ１０４をスキップするのは、「ＲＡＷ」モードより上の高画質モードが存在していないためである。
【００３２】
ステップＳ１０５において、演算回路１０１はモノクロモードフラグＢ＝１か否かを判定する。演算回路１０１は、Ｂ＝１（モノクロモードに設定）の場合にステップＳ１０５を肯定判定してステップＳ１０６へ進み、Ｂ＝０（モノクロモード非設定）の場合にはステップＳ１０５を否定判定して図３による処理を終了し、図２のステップＳ３へ進む。
【００３３】
ステップＳ１０６において、演算回路１０１は、画質モードパラメータＱ＝５か否かを判定する。演算回路１０１は、Ｑ＝５（記録画質が「ＲＡＷ」モード）の場合にステップＳ１０６を肯定判定してステップＳ１０７へ進み、Ｑ≠５の場合にはステップＳ１０６を否定判定して図３による処理を終了し、図２のステップＳ３へ進む。
【００３４】
ステップＳ１０７において、演算回路１０１はモノクロモードフラグＢを０にセット（すなわち、モノクロモードを解除（非設定にする））して図３による処理を終了し、図２のステップＳ３へ進む。
【００３５】
ステップＳ１０８において、演算回路１０１は低画質への操作か否かを判定する。演算回路１０１は、入力された操作信号が低画質への変更を示す場合にステップＳ１０８を肯定判定してステップＳ１０９へ進み、入力された操作信号が低画質への変更を示さない場合にはステップＳ１０８を否定判定してステップＳ１０５へ進む。
【００３６】
ステップＳ１０９において、演算回路１０１は、画質モードパラメータＱ＝１か否かを判定する。演算回路１０１は、Ｑ＝１（記録画質が「ＢＡＳＩＣ」モード）の場合にステップＳ１０９を肯定判定してステップＳ１０５へ進み、Ｑ≠１の場合にはステップＳ１０９を否定判定してステップＳ１１０へ進む。ステップＳ１１０において、演算回路１０１はＱから１を減じた低画質モードを選択し、ステップＳ１０５へ進む。ステップＳ１０９を肯定判定した場合にステップＳ１１０をスキップするのは、「ＢＡＳＩＣ」モードより下の低画質モードが存在していないためである。
【００３７】
ステップＳ１１１において、演算回路１０１は画質モードパラメータＱ＝５か否かを判定する。演算回路１０１は、Ｑ＝５（記録画質が「ＲＡＷ」モード）の場合にステップＳ１１１を肯定判定して図３による処理を終了し、図２のステップＳ３へ進む。これにより、「ＲＡＷ」モード選択時はモノクロモードへの設定が禁止される。一方、演算回路１０１は、Ｑ≠５の場合にステップＳ１１１を否定判定し、ステップＳ１１２へ進む。
【００３８】
ステップＳ１１２において、演算回路１０１はモノクロモード設定部材１１３が操作されたか否かを判定する。演算回路１０１は、モノクロモード設定部材１１３から操作信号が入力されるとステップＳ１１２を肯定判定してステップＳ１１３へ進み、モノクロモード設定部材１１３から操作信号が入力されない場合にはステップＳ１１２を否定判定して図３による処理を終了し、図２のステップＳ３へ進む。
【００３９】
ステップＳ１１３において、演算回路１０１はモノクロモードフラグＢ＝０か否かを判定する。演算回路１０１は、Ｂ＝０（モノクロモードが非設定）の場合にステップＳ１１３を肯定判定してステップＳ１１４へ進み、Ｂ＝１（モノクロモードに設定）の場合にはステップＳ１１３を否定判定してステップＳ１１５へ進む。
【００４０】
ステップＳ１１４において、演算回路１０１はモノクロモードフラグＢを１にセット（すなわち、モノクロモードに設定）して図３による処理を終了し、図２のステップＳ３へ進む。ステップＳ１１５において、演算回路１０１はモノクロモードフラグＢを０にセット（すなわち、モノクロモードを解除（非設定にする））して図３による処理を終了し、図２のステップＳ３へ進む。
【００４１】
＜表示処理＞
表示処理の詳細について、図４のフローチャートを参照して説明する。図４のステップＳ２０１において、演算回路１０１は表示装置１１２に指示を送り、選択されている画質モードを示す表示を行わせてステップＳ２０２へ進む。
【００４２】
ステップＳ２０２において、演算回路１０１はモノクロモードフラグＢ＝１か否かを判定する。演算回路１０１は、Ｂ＝１（モノクロモードに設定）の場合にステップＳ２０２を肯定判定してステップＳ２０３へ進む。演算回路１０１は、Ｂ＝０（モノクロモード非設定）の場合にはステップＳ２０２を否定判定して図４による処理を終了し、図２のステップＳ４へ進む。なお、ステップＳ２０２を否定判定した際にモノクロモード設定マークが点灯されている場合は、表示装置１１２に指示を送り、モノクロモード設定マークを消灯させる。
【００４３】
ステップＳ２０３において、演算回路１０１は表示装置１１２に指示を送り、モノクロモード設定マークを点灯表示させて図４による処理を終了し、図２のステップＳ４へ進む。
【００４４】
以上説明したように第一の実施形態によれば、次の作用効果が得られる。
（１）電子カメラは、先にモノクロモードに設定されている状態で、後から記録画質に「ＲＡＷ」モードが選択されると、モノクロモードの設定を解除する（ステップＳ１０７）。これにより、記録する第１データに対して画像処理などの加工を行わない「ＲＡＷ」モードの選択と、記録する第１データに対して画像処理などの加工を行うモノクロモードの設定とが重なることを防止できる。
【００４５】
（２）電子カメラは、先に「ＲＡＷ」モードが選択されている状態（ステップＳ１１１を肯定判定）では設定処理を終了し、モノクロモードの設定を不可にする。これにより、両立しない「ＲＡＷ」モードの選択とモノクロモードの設定とが重なることを防止できる。
【００４６】
（第二の実施形態）
図５は、本発明の第二の実施形態による設定処理を説明するフローチャートである。図５の処理は図３の処理に代えて行われる。図５によれば、図３に示す処理からステップＳ１０５〜ステップＳ１０７およびステップＳ１１１の処理が省略された上で、ステップＳ３０１〜ステップＳ３０４の処理が追加される。以下、図５を参照して図３と相違する処理を中心に説明する。
【００４７】
図５のステップＳ３０１において、演算回路１０１はモノクロモードフラグＢ＝１か否かを判定する。演算回路１０１は、Ｂ＝１（モノクロモードに設定）の場合にステップＳ３０１を肯定判定してステップＳ３０２へ進み、Ｂ＝０（モノクロモード非設定）の場合にはステップＳ３０１を否定判定してステップＳ１０４へ進む。
【００４８】
ステップＳ３０２において、演算回路１０１は、画質モードパラメータＱ＝４か否かを判定する。演算回路１０１は、Ｑ＝４（記録画質が「ＴＩＦＦ」モード）の場合にステップＳ３０２を肯定判定して図５による処理を終了し、図２のステップＳ３へ進む。演算回路１０１は、Ｑ≠４の場合にはステップＳ３０２を否定判定してステップＳ１０４へ進む。
【００４９】
ステップＳ３０３において、演算回路１０１は、画質モードパラメータＱ＝５か否かを判定する。演算回路１０１は、Ｑ＝５（記録画質が「ＲＡＷ」モード）の場合にステップＳ３０３を肯定判定してステップＳ３０４へ進み、Ｑ≠５の場合にはステップＳ３０３を否定判定して図５による処理を終了し、図２のステップＳ３へ進む。
【００５０】
ステップＳ３０４において、演算回路１０１は画質モードパラメータＱ＝４に変更（すなわち、記録画質を「ＴＩＦＦ」モードにする）して図５による処理を終了し、図２のステップＳ３へ進む。
【００５１】
以上説明したように第二の実施形態によれば、次の作用効果が得られる。
（１）電子カメラは、高画質への操作が行われた際（ステップＳ１０２を肯定判定）、モノクロモードに設定され（ステップＳ３０１を肯定判定）、かつ記録画質に「ＴＩＦＦ」モードが選択されている（ステップＳ３０２を肯定判定）と、設定処理を終了する。これにより、先にモノクロモードに設定されている状態で「ＲＡＷ」モードの選択が不可にされ、両立しないモノクロモードの設定と「ＲＡＷ」モードの選択とが重なることを防止できる。
【００５２】
（２）電子カメラは、モノクロモードに設定された際（ステップＳ１１４）、記録画質に「ＲＡＷ」モードが選択されている（ステップＳ３０３を肯定判定）と、記録画質を「ＴＩＦＦ」モードに変更する（ステップＳ３０４）。これにより、両立しないモノクロモードの設定と「ＲＡＷ」モードの選択とが重なることを防止できる。
【００５３】
（変形例１）
図６に示すフローチャートのように、図５の設定処理からステップＳ３０３およびステップＳ３０４の処理を省略した上で、図３と同様のステップＳ１１１の処理を追加してもよい。図６の設定処理は、図３もしくは図５の処理に代えて行われる。変形例１の電子カメラでは、第二の実施形態と同様に、先にモノクロモードに設定された状態で「ＲＡＷ」モードの選択が不可にされることにより、両立しないモノクロモードの設定と「ＲＡＷ」モードの選択とが重なることを防止できる。
【００５４】
また、変形例１の電子カメラでは、第一の実施形態と同様に、先に「ＲＡＷ」モードが選択された状態でモノクロモードの設定が不可にされることにより、両立しない「ＲＡＷ」モードの選択とモノクロモードの設定とが重なることを防止できる。
【００５５】
（変形例２）
図７に示すフローチャートのように、図５の設定処理からステップＳ３０１〜ステップＳ３０４の処理を省略した上で、ステップＳ５０１〜ステップＳ５０３の処理を追加してもよい。図７の設定処理は、図３、図５もしくは図６の処理に代えて行われる。
【００５６】
図７のステップＳ５０１において、演算回路１０１は画質モードパラメータＱ＝５か否かを判定する。演算回路１０１は、Ｑ＝５（記録画質が「ＲＡＷ」モード）の場合にステップＳ５０１を肯定判定してステップＳ５０２へ進み、Ｑ≠５の場合にはステップＳ５０１を否定判定して図７による処理を終了し、図２のステップＳ３へ進む。
【００５７】
ステップＳ５０２において、演算回路１０１はモノクロモードフラグＢ＝１か否かを判定する。演算回路１０１は、Ｂ＝１（モノクロモードに設定）の場合にステップＳ５０２を肯定判定してステップＳ５０３へ進み、Ｂ＝０（モノクロモード非設定）の場合にはステップＳ５０２を否定判定して図７による処理を終了し、図２のステップＳ３へ進む。
【００５８】
ステップＳ５０３において、演算回路１０１はモノクロモードフラグＢを０にセット（すなわち、モノクロモードを解除（非設定にする））して図７による処理を終了し、図２のステップＳ３へ進む。
【００５９】
変形例２の電子カメラでは、モノクロモードへの設定と記録画質の「ＲＡＷ」モード選択とが行われた場合、「ＲＡＷ」モードの選択を優先させ、モノクロモードの設定を解除する（ステップＳ５０３）。これにより、両立しないモノクロモードの設定と「ＲＡＷ」モードの選択とが重なることを防止できる。
【００６０】
（変形例３）
図８に示すフローチャートのように、図７の設定処理からステップＳ５０１〜ステップＳ５０３の処理を省略した上で、ステップＳ６０１〜ステップＳ６０３の処理を追加してもよい。図８の設定処理は、図３、図５、図６もしくは図７の処理に代えて行われる。
【００６１】
図８のステップＳ６０１において、演算回路１０１はモノクロモードフラグＢ＝１か否かを判定する。演算回路１０１は、Ｂ＝１（モノクロモードに設定）の場合にステップＳ６０１を肯定判定してステップＳ６０２へ進み、Ｂ＝０（モノクロモード非設定）の場合にはステップＳ６０１を否定判定して図８による処理を終了し、図２のステップＳ３へ進む。
【００６２】
ステップＳ６０２において、演算回路１０１は画質モードパラメータＱ＝５か否かを判定する。演算回路１０１は、Ｑ＝５（記録画質が「ＲＡＷ」モード）の場合にステップＳ６０２を肯定判定してステップＳ６０３へ進み、Ｑ≠５の場合にはステップＳ６０２を否定判定して図８による処理を終了し、図２のステップＳ３へ進む。
【００６３】
ステップＳ６０３において、演算回路１０１は画質モードパラメータＱ＝４に変更（すなわち、記録画質を「ＴＩＦＦ」モードにする）して図８による処理を終了し、図２のステップＳ３へ進む。
【００６４】
変形例３の電子カメラでは、モノクロモードへの設定と記録画質の「ＲＡＷ」モード選択とが行われた場合、モノクロモードの設定を優先させ、記録画質を「ＴＩＦＦ」モードに変更する（ステップＳ６０３）。これにより、両立しないモノクロモードの設定と「ＲＡＷ」モードの選択とが重なることを防止できる。
【００６５】
（変形例４）
図９に示すフローチャートのように、図５の設定処理からステップＳ３０１〜ステップＳ３０２の処理を省略した上で、図３と同様のステップＳ１０５〜ステップＳ１０７の処理を追加してもよい。図９の設定処理は、図３、図５、図６、図７、もしくは図８の処理に代えて行われる。
【００６６】
変形例４の電子カメラでは、第一の実施形態と同様に、先にモノクロモードに設定された状態で、後から記録画質に「ＲＡＷ」モードが選択されると、先に設定されていたモノクロモードの設定を解除する（ステップＳ１０７）。これにより、両立しないモノクロモードの設定と「ＲＡＷ」モードの選択とが重なることを防止できる。
【００６７】
また、変形例４の電子カメラでは、第二の実施形態と同様に、モノクロモードに設定された際（ステップＳ１１４）、既に記録画質に「ＲＡＷ」モードが選択されている（ステップＳ３０３を肯定判定）と、記録画質を「ＴＩＦＦ」モードに変更する（ステップＳ３０４）。つまり、先に「ＲＡＷ」モードが選択された状態で後からモノクロモードに設定されると、先に選択されていた「ＲＡＷ」モードが「ＴＩＦＦ」モードに変更されるので、両立しないモノクロモードの設定と「ＲＡＷ」モードの選択とが重なることを防止できる。
【００６８】
（変形例５）
変形例４の構成に警告表示する構成を加えてもよい。図１０に示すフローチャートは、図９の設定処理に警告表示を行うためのステップＳ１０５１およびステップＳ１０５２を追加したものである。図１０の設定処理は、図９の処理に代えて行われる。
【００６９】
図１０のステップＳ１０５１において、演算回路１０１は表示装置１１２に指示を送り、モノクロモード設定マークを所定時間（たとえば、３秒間）点滅表示させて、図１０による処理を終了する。所定時間は、１秒〜１０秒の範囲で使用者が判別するのに十分な時間とするのが好ましい。
【００７０】
ステップＳ１０５２において、演算回路１０１は表示装置１１２に指示を送り、「ＲＡＷ」モードを示す表示を所定時間（たとえば、３秒間）点滅させて、図１０による処理を終了する。所定時間は、１秒〜１０秒の範囲で使用者が判別するのに十分な時間とするのが好ましい。
【００７１】
変形例５の電子カメラでは、モノクロモードを自動的に解除したことを使用者に知らせる（ステップＳ１０５１）ことに加えて、「ＲＡＷ」モード以外の「ＴＩＦＦ」モードへ自動的に変更したことを使用者に知らせる（ステップＳ１０５２）ことができる。
【００７２】
（変形例６）
第一の実施形態の構成に警告表示する構成を加えてもよい。図１１に示すフローチャートは、図３の設定処理に警告表示を行うためのステップＳ１００１、ステップＳ１００２、およびステップＳ１００１'を追加したものである。図１１の設定処理は、図３の処理に代えて行われる。
【００７３】
図１１のステップＳ１００１において、演算回路１０１は表示装置１１２に指示を送り、モノクロモード設定マークを所定時間（たとえば、３秒間）点滅表示させて、図１１による処理を終了する。所定時間は、１秒〜１０秒の範囲で使用者が判別するのに十分な時間とするのが好ましい。
【００７４】
ステップＳ１１１を肯定判定して進むステップＳ１００２において、演算回路１０１はモノクロモード設定部材１１３が操作されたか否かを判定する。演算回路１０１は、モノクロモード設定部材１１３から操作信号が入力されるとステップＳ１００２を肯定判定してステップＳ１００１'へ進み、モノクロモード設定部材１１３から操作信号が入力されない場合にはステップＳ１００２を否定判定して図１１による処理を終了する。
【００７５】
ステップＳ１００１'において、演算回路１０１は表示装置１１２に指示を送り、モノクロモード設定マークを所定時間（たとえば、３秒間）点滅表示させて、図１１による処理を終了する。これにより、モノクロモード設定部材１１３が操作された場合には、モノクロモード設定マークを点滅表示させてから図１１の設定処理が終了する。所定時間は、１秒〜１０秒の範囲で使用者が判別するのに十分な時間とするのが好ましい。
【００７６】
変形例６の電子カメラでは、モノクロモードを自動的に解除したことを使用者に知らせる（ステップＳ１００１）ことに加えて、モノクロモードの設定が不可であることを使用者に知らせる（ステップＳ１００１'）ことができる。
【００７７】
（変形例７）
第二の実施形態の構成に警告表示する構成を加えてもよい。図１２に示すフローチャートは、図５の設定処理に警告表示を行うためのステップＳ１０１１およびステップＳ１０１１'を追加したものである。図１２の設定処理は、図５の処理に代えて行われる。
【００７８】
図１２のステップＳ１０１１において、演算回路１０１は表示装置１１２に指示を送り、「ＲＡＷ」モードを示す表示を所定時間（たとえば、３秒間）点滅させて、図１２による処理を終了する。所定時間は、１秒〜１０秒の範囲で使用者が判別するのに十分な時間とするのが好ましい。
【００７９】
ステップＳ１０１１'において、演算回路１０１は表示装置１１２に指示を送り、「ＲＡＷ」モードを示す表示を所定時間（たとえば、３秒間）点滅させて、図１２による処理を終了する。所定時間は、１秒〜１０秒の範囲で使用者が判別するのに十分な時間とするのが好ましい。
【００８０】
変形例７の電子カメラでは、「ＲＡＷ」モード以外の「ＴＩＦＦ」モードへ自動的に変更したことを使用者に知らせる（ステップＳ１０１１'）ことに加えて、「ＲＡＷ」モードの選択が不可であることを使用者に知らせる（ステップＳ１０１１）ことができる。
【００８１】
（変形例８）
変形例１の構成に警告表示する構成を加えてもよい。図１３に示すフローチャートは、図６の設定処理に警告表示を行うためのステップＳ１０２１、ステップＳ１０２２およびステップＳ１０２３を追加したものである。図１３の設定処理は、図６の処理に代えて行われる。
【００８２】
図１３のステップＳ１０２１において、演算回路１０１は表示装置１１２に指示を送り、「ＲＡＷ」モードを示す表示を所定時間（たとえば、３秒間）点滅させて、図１３による処理を終了する。所定時間は、１秒〜１０秒の範囲で使用者が判別するのに十分な時間とするのが好ましい。
【００８３】
ステップＳ１１１を肯定判定して進むステップＳ１０２２において、演算回路１０１はモノクロモード設定部材１１３が操作されたか否かを判定する。演算回路１０１は、モノクロモード設定部材１１３から操作信号が入力されるとステップＳ１０２２を肯定判定してステップＳ１０２３へ進み、モノクロモード設定部材１１３から操作信号が入力されない場合にはステップＳ１０２２を否定判定して図１３による処理を終了する。
【００８４】
ステップＳ１０２３において、演算回路１０１は表示装置１１２に指示を送り、モノクロモード設定マークを所定時間（たとえば、３秒間）点滅表示させて、図１３による処理を終了する。これにより、モノクロモード設定部材１１３が操作された場合には、モノクロモード設定マークを点滅表示させてから図１３の設定処理が終了する。所定時間は、１秒〜１０秒の範囲で使用者が判別するのに十分な時間とするのが好ましい。
【００８５】
変形例８の電子カメラでは、「ＲＡＷ」モードの選択が不可であることを使用者に知らせる（ステップＳ１０２１）ことに加えて、モノクロモードの設定が不可であることを使用者に知らせる（ステップＳ１０２３）ことができる。
【００８６】
（変形例９）
変形例２の構成に警告表示する構成を加えてもよい。図１４に示すフローチャートは、図７の設定処理に警告表示を行うためのステップＳ１０３１を追加したものである。図１４の設定処理は、図７の処理に代えて行われる。
【００８７】
図１４のステップＳ１０３１において、演算回路１０１は表示装置１１２に指示を送り、モノクロモード設定マークを所定時間（たとえば、３秒間）点滅表示させて、図１４による処理を終了する。所定時間は、１秒〜１０秒の範囲で使用者が判別するのに十分な時間とするのが好ましい。
【００８８】
変形例９の電子カメラでは、モノクロモードを自動的に解除したことを使用者に知らせる（ステップＳ１０３１）ことができる。
【００８９】
（変形例１０）
変形例３の構成に警告表示する構成を加えてもよい。図１５に示すフローチャートは、図８の設定処理に警告表示を行うためのステップＳ１０４１を追加したものである。図１５の設定処理は、図８の処理に代えて行われる。
【００９０】
図１５のステップＳ１０４１において、演算回路１０１は表示装置１１２に指示を送り、「ＲＡＷ」モードを示す表示を所定時間（たとえば、３秒間）点滅させて、図１５による処理を終了する。所定時間は、１秒〜１０秒の範囲で使用者が判別するのに十分な時間とするのが好ましい。
【００９１】
変形例１０の電子カメラでは、「ＲＡＷ」モード以外の「ＴＩＦＦ」モードへ自動的に変更したことを使用者に知らせる（ステップＳ１０４１）ことができる。
【００９２】
（第三の実施形態）
上述した５つの記録画質のモードに加えて、第６の画質モードを加えてもよい。第６の記録画質は、本画像として画像処理を施さない画像データ（第１データ）と、画像処理後の画像データ（第２データ）との双方を記録する。第２データは、たとえば、圧縮率約１／８で圧縮したデータである。本説明では、第６の記録画質を画質［０］で表し、対応する画質モードパラメータＱを０とする。
【００９３】
演算回路１０１は、画質モード選択部材１１４から入力される操作信号に応じて、上記６つの記録画質モードからいずれか１つを選択する。演算回路１０１はさらに、選択した画質モードに応じてＡＳＩＣ１２３に指示を行う。指示内容は、記録媒体１２６に画像データを記録する際の画像処理の要否と、圧縮処理時のJPEG圧縮率とを含む。
【００９４】
電子カメラの演算回路１０１は、画質［０］または画質［１］〜画質［４］のいずれかの選択とモノクロモードの設定とが重なることを許容する一方で、第一の実施形態、第二の実施形態、および変形例１〜変形例１０と同様に、画質［５］の選択とモノクロモードの設定とが重なることを禁止する。
【００９５】
モノクロモードの設定と画質［０］（すなわち第６の画質モード）の選択が重なる場合、演算回路１０１は以下のように記録媒体１２６への記録を制御する。すなわち、記録媒体１２６に記録するデータのうち、上記第１データはモノトーン化しない（画像処理を施さない）で記録し、上記第２データおよびビュー画像、サムネイル画像のそれぞれはモノトーン化して（画像処理を施す）記録する。
【００９６】
以上説明した第三の実施形態によれば、両立しないモノクロモードの設定と画質［５］（すなわち「ＲＡＷ」モード）の選択とが重なることを防止した上で、モノクロモードの設定と画質［０］（いわゆる「ＲＡＷ」＋「ＪＰＥＧ」モード）の選択とを適切に組み合わせることができる。
【００９７】
以上の説明はあくまで一例であり、発明を解釈する上で、上記の実施形態の構成要素と本発明の構成要素との対応関係に何ら限定されるものではない。
【図面の簡単な説明】
【００９８】
【図１】本発明の実施形態による電子カメラの構成を示すブロック図である。
【図２】演算回路で行われるメイン処理の流れについて説明するフローチャートである。
【図３】設定処理の詳細を説明するフローチャートである。
【図４】表示処理の詳細を説明するフローチャートである。
【図５】第二の実施形態による設定処理を説明するフローチャートである。
【図６】変形例１の設定処理を説明するフローチャートである。
【図７】変形例２の設定処理を説明するフローチャートである。
【図８】変形例３の設定処理を説明するフローチャートである。
【図９】変形例４の設定処理を説明するフローチャートである。
【図１０】変形例５の設定処理を説明するフローチャートである。
【図１１】変形例６の設定処理を説明するフローチャートである。
【図１２】変形例７の設定処理を説明するフローチャートである。
【図１３】変形例８の設定処理を説明するフローチャートである。
【図１４】変形例９の設定処理を説明するフローチャートである。
【図１５】変形例１０の設定処理を説明するフローチャートである。
【符号の説明】
【００９９】
１０１…演算回路
１１２…表示装置
１１３…モノクロモード設定部材
１１４…画質モード選択部材
１２１…撮像素子
１２３…ＡＳＩＣ
１２６…記録媒体
【図１】
2007150492.tif 000003
【図２】
2007150492.tif 000004
【図３】
2007150492.tif 000005
【図４】
2007150492.tif 000006
【図５】
2007150492.tif 000007
【図６】
2007150492.tif 000008
【図７】
2007150492.tif 000009
【図８】
2007150492.tif 000010
【図９】
2007150492.tif 000011
【図１０】
2007150492.tif 000012
【図１１】
2007150492.tif 000013
【図１２】
2007150492.tif 000014
【図１３】
2007150492.tif 000015
【図１４】
2007150492.tif 000016
【図１５】
2007150492.tif 000017